(57)【特許請求の範囲】
【請求項１】
上方が開口した開口部を覆う状態で設置される落下防止用足場であって、該落下防止用足場は、ヒンジ部によって上面同士を対向させた状態に折り畳み可能に連結された一対の足場半体と、水平方向に展開した状態の一対の足場半体を、展開状態で水平状態を保持して吊り上げるための展開足場吊り上げ部材と、一対の足場半体を折り畳んだ重合状態の足場半体を、重合状態で水平状態を保持して吊り上げるための重合足場吊り上げ部材とを備えていることを特徴とする落下防止用足場。
【請求項２】
前記開口部は、チュービング装置におけるケーシングチューブ挿通孔の上部開口部であることを特徴とする請求項１記載の落下防止用足場。
【請求項３】
一方の前記足場半体の回動端に、該一方の足場半体を他方の足場半体の上面に向かって回動させるための回動用吊り上げ部材を備えていることを特徴とする請求項１又は２記載の落下防止用足場。
【請求項４】
前記展開足場吊り上げ部材は、前記足場半体の連結側に設けられた収納部に収納された収納位置と、足場半体の上方に突出した吊り上げ位置とに回動可能に形成されていることを特徴とする請求項１乃至３のいずれか１項記載の落下防止用足場。
【請求項５】
前記重合足場吊り上げ部材は、重合時に下方に位置する足場半体に設けられた収納部に収納された収納位置と、上方に位置する足場半体に設けられた挿通孔を通して上方に位置する足場半体の上方に突出した吊り上げ位置とに回動可能に形成されていることを特徴とする請求項１乃至４のいずれか１項記載の落下防止用足場。
【発明の詳細な説明】
【技術分野】
【０００１】
本発明は、落下防止用足場に関し、特に、チュービング装置に設けられているケーシングチューブ挿通孔の開口部を覆って作業者などが落下することを防止するための落下防止用足場に関する。
【背景技術】
【０００２】
大口径のケーシングチューブ（鋼管杭）を地中に圧入したり、引き抜いたりする作業を行うための手段として、チュービング装置（オールケーシング掘削機）が用いられている。このチュービング装置は、一般に、地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシングチューブ挿通孔とを備えている。
【０００３】
このようなチュービング装置では、ケーシングの挿入や着脱、コンクリートの注入などの作業をする際の転落事故を防止するため、チュービング装置本体の上面に設けた作業デッキの外縁に沿って手摺を設けたり、ケーシングチューブ挿通孔の周囲に手摺部材をリング状に配置したりすることが行われている（例えば、特許文献１，２参照。）。
【先行技術文献】
【特許文献】
【０００４】
【特許文献１】特開２００１−３２９７７５号公報
【特許文献２】特開２０１５−４０４３４号公報
【発明の概要】
【発明が解決しようとする課題】
【０００５】
しかし、特許文献２に記載されたように、ケーシングチューブ挿通孔の周囲に手摺部材をリング状に配置した場合、通常の作業状態では作業員がケーシングチューブ挿通孔内に落下することを防止できるが、非施工時の待機状態では、ケーシングチューブ挿通孔が上方に開口しているため、工具などの落下を完全に防止することはできなかった。また、適当な大きさの鉄板を蓋材として使用することもできるが、着脱や運搬が面倒であるという問題があった。
【０００６】
そこで本発明は、上方が開口した開口部、特に、チュービング装置に設けられるケーシングチューブ挿通孔の開口部を覆って作業員などが落下することを確実に防止でき、輸送や保管も容易に行うことができる落下防止用足場を提供することを目的としている。
【課題を解決するための手段】
【０００７】
上記目的を達成するため、本発明の落下防止用足場は、上方が開口した開口部を覆う状態で設置される落下防止用足場であって、該落下防止用足場は、ヒンジ部によって上面同士を対向させた状態に折り畳み可能に連結された一対の足場半体と、水平方向に展開した状態の一対の足場半体を、展開状態で水平状態を保持して吊り上げるための展開足場吊り上げ部材と、一対の足場半体を折り畳んだ重合状態の足場半体を、重合状態で水平状態を保持して吊り上げるための重合足場吊り上げ部材とを備えていることを特徴としている。
【０００８】
さらに、本発明の落下防止用足場は、前記開口部がチュービング装置におけるケーシングチューブ挿通孔の上部開口部であることを特徴としている。また、本発明の落下防止用足場は、一方の前記足場半体の回動端に、該一方の足場半体を他方の足場半体の上面に向かって回動させるための回動用吊り上げ部材を備えていること、前記展開足場吊り上げ部材が、前記足場半体の連結側に設けられた収納部に収納された収納位置と、足場半体の上方に突出した吊り上げ位置とに回動可能に形成されていること、さらに、前記重合足場吊り上げ部材が、重合時に下方に位置する足場半体に設けられた収納部に収納された収納位置と、上方に位置する足場半体に設けられた挿通孔を通して上方に位置する足場半体の上方に突出した吊り上げ位置とに回動可能に形成されていることを特徴としている。
【発明の効果】
【０００９】
本発明の落下防止用足場によれば、一対の足場半体を展開した状態で開口部を覆うことにより、作業者や工具などが開口部内に落下することを防止できる。また、折り畳み可能に形成したことにより、直径の大きな開口部に設置する落下防止用足場を折り畳むことで、容易に輸送したり、保管したりすることができる。さらに、展開足場吊り上げ部材を設けることにより、開口部への着脱を容易に行うことができ、重合足場吊り上げ部材を設けることにより、輸送車の荷台などへの積み降ろしを容易に行うことができる。
【図面の簡単な説明】
【００１０】
【図１】本発明の落下防止用足場の一形態例を示す平面図である。
【図２】同じく落下防止用足場の断面正面図である。
【図３】同じく展開足場吊り上げ部材及び重合足場吊り上げ部材を示す要部の断面側面図である。
【図４】本発明の落下防止用足場を、チュービング装置におけるケーシングチューブ挿通孔の上部開口部に設置した状態を示す平面図である。
【図５】同じく要部の断面正面図である。
【発明を実施するための形態】
【００１１】
図１乃至図３は、本発明の落下防止用足場の一形態例を示している。本形態例に示す落下防止用足場１１は、平面視が半円形状に形成された一対の足場半体１２，１３を、２箇所のヒンジ部１４，１４によって折り畳み可能に連結したもので、各足場半体１２，１３は、半円形状に枠組みしたフレーム１２ａ，１３ａの上面にエキスパンドメタル１２ｂ，１３ｂを接合して形成されている。
【００１２】
ヒンジ部１４は、半円形の弦部に設けられており、足場半体１２，１３を水平方向に展開した状態から、足場半体１２，１３の上面同士を対向させた重合状態になる方向にのみ足場半体１２，１３を折り畳み可能に連結している。さらに、足場半体１２，１３の弦部には、水平方向に展開した状態の一対の足場半体１２，１３を、展開状態のままで水平状態を保持して吊り上げるための長板状の展開足場吊り上げ部材１５が２箇所に設けられている。また、一方の足場半体１２には、折り畳んだ重合状態の足場半体１２，１３を、重合状態のままで水平状態を保持して吊り上げるための長板状の重合足場吊り上げ部材１６が２箇所に設けられている。
【００１３】
展開足場吊り上げ部材１５は、一方の足場半体１２の連結側である弦部側面に設けられた箱形の展開足場吊り上げ部材収納部１７内に設けられている。展開足場吊り上げ部材収納部１７は、展開足場吊り上げ部材１５の基端１５ａを回動可能に保持する水平方向の支軸１７ａと、回動量規制部材１７ｂとを有している。支軸１７ａに基端１５ａを保持された展開足場吊り上げ部材１５は、支軸１７ａを中心として水平方向に倒した状態で展開足場吊り上げ部材収納部１７内に全体が収納された収納位置となり、展開足場吊り上げ部材１５の先端１５ｂを上方に向けて回動させたときに、展開足場吊り上げ部材１５の先端１５ｂが展開状態の足場半体１２，１３の上面より上方に突出する吊り上げ位置となるように形成されている。また、展開足場吊り上げ部材１５の先端１５ｂには、シャックル１８ａを取り付けるための取付孔１５ｃが形成されている。
【００１４】
重合足場吊り上げ部材１６は、重合時に下方に位置する足場半体１２の中央部の２箇所に設けられた箱形の重合足場吊り上げ部材収納部１９内に設けられている。重合足場吊り上げ部材収納部１９は、重合足場吊り上げ部材１６の基端１６ａを回動可能に保持する水平方向の支軸１９ａと、回動量規制部材１９ｂとを有している。支軸１９ａに基端１６ａを保持された重合足場吊り上げ部材１６は、支軸１９ａを中心として水平方向に倒した状態で重合足場吊り上げ部材収納部１９内に全体が収納された収納位置となり、重合足場吊り上げ部材１６の先端１６ｂを上方に向けて回動させたときに、重合時に上方に位置する足場半体１３に設けられた長方形状の重合足場吊り上げ部材挿通孔２０を通して足場半体１３より上方に突出する吊り上げ位置となるように形成されている。また、重合足場吊り上げ部材１６の先端１６ｂには、シャックル１８ｂを取り付けるための取付孔１６ｃが形成されている。さらに、足場半体１２，１３を折り畳んだ重合状態で、重合足場吊り上げ部材１６を上方に突出させて取付孔１６ｃにシャックル１８ｂを取り付けることにより、このシャックル１８ｂが開き止めとして作用し、重合状態の足場半体１２，１３を、確実に重合状態に保持することができ、輸送中や保管中に足場半体１２，１３が不意に開くことを防止できる。
【００１５】
また、重合時に上方に位置する一方の足場半体１３の回動端には、該足場半体１３を重合時に下方に位置する他方の足場半体１２の上面に向かって回動させるための回動用吊り上げ部材２１が設けられている。この回動用吊り上げ部材２１は、足場半体１３のフレーム１３ａ及びエキスパンドメタル１３ｂに形成した溝状開口部２２内に設けた支軸２２ａに、基端２１ａが回動可能に保持されている。回動用吊り上げ部材２１の先端２１ｂには、シャックル１８ｃを取り付けるための取付孔２１ｃが形成されている。また、溝状開口部２２内には、回動用吊り上げ部材２１の回動範囲を規制するための回り止め２２ｂが設けられている。回動用吊り上げ部材２１は、足場半体１２，１３を展開した状態では、水平方向に倒すことによって溝状開口部２２内に収納された収納位置となり、足場半体１３を回動させて展開状態から重合状態にするとき、あるいは、重合状態から展開状態にするときには、足場半体１３から突出した状態で足場半体１３の上面側から下面側まで回動可能に形成されている。
【００１６】
このように形成した落下防止用足場１１は、例えば、図４及び図５に示すように、チュービング装置３１に設けられているケーシングチューブ挿通孔３２の上部開口部を覆うように設置される。この場合、足場半体１２，１３を展開した落下防止用足場１１の外径は、ケーシングチューブ挿通孔３２の内径より大きく形成され、ケーシングチューブ挿通孔３２の上部開口部に落下防止用足場１１を載置したときに、ケーシングチューブ挿通孔３２を落下防止用足場１１で完全に覆うことができるように設定している。
【００１７】
このようにしてケーシングチューブ挿通孔３２の上部開口部を落下防止用足場１１で覆うことにより、非作業状態でケーシングチューブ挿通孔３２が上方に開口しているときに、上部作業デッキ３３で各種作業を行う際に作業員や工具などがケーシングチューブ挿通孔３２内に落下することを完全に防止できる。さらに、ケーシングチューブ挿通孔３２の上部開口部に対する落下防止用足場１１の着脱は、展開足場吊り上げ部材１５をシャックル１８ａを介してクレーンで吊り上げることにより、落下防止用足場１１を展開状態を保持したまま行うことができる。
【００１８】
また、ケーシングチューブ挿通孔３２の内径が、例えば３ｍの場合、落下防止用足場１１の外径が３ｍを超えるため、そのままでは一般的なトラックで輸送することはできないが、足場半体１２，１３を折り畳んだ重合状態にすることにより、長さ寸法は３ｍを超えるものの、幅寸法を２ｍ以下にすることができるので、一般的なトラックで容易に輸送することが可能となる。
【００１９】
さらに、重合足場吊り上げ部材１６を設けることにより、重合状態の足場半体１２，１３を水平状態を保ったまま吊り上げることができるので、荷台への積み降ろしを容易かつ安全に行うことができる。加えて、回動用吊り上げ部材２１を設けることにより、足場半体１２，１３の展開や折り畳みを容易に行うことができる。
【００２０】
しかも、展開足場吊り上げ部材１５、重合足場吊り上げ部材１６及び回動用吊り上げ部材２１を、使用時以外は、足場半体１２，１３の厚さ内に収まるようにして収納部などに収納しているので、ケーシングチューブ挿通孔３２を覆った状態の落下防止用足場１１の上面に突出する部材を極力少なくできるとともに、複数の落下防止用足場１１を保管する際の積み重ねも安定して行うことができる。
【００２１】
なお、展開状態を保持するための部材や、重合状態を保持する部材を設けることもできる。また、落下防止用足場１１を開口部に固定するための位置決め部材や固定部材を設けることもできる。さらに、落下防止用足場は、ケーシングチューブ挿通孔の上部開口部に限らず、各種開口部を覆うために用いることができ、外形も、円形に限らず、角形に形成することもできる。また、エキスパンドメタルに代えて金属製、木製の板を用いることもできる。
【符号の説明】
【００２２】
１１…落下防止用足場、１２，１３…足場半体、１２ａ，１３ａ…フレーム、１２ｂ，１３ｂ…エキスパンドメタル、１４…ヒンジ部、１５…展開足場吊り上げ部材、１５ａ…基端、１５ｂ…先端、１５ｃ…取付孔、１６…重合足場吊り上げ部材、１６ａ…基端、１６ｂ…先端、１６ｃ…取付孔、１７…展開足場吊り上げ部材収納部、１７ａ…支軸、１７ｂ…回動量規制部材、１８ａ，１８ｂ，１８ｃ…シャックル、１９…重合足場吊り上げ部材収納部、１９ａ…支軸、１９ｂ…回動量規制部材、２０…重合足場吊り上げ部材挿通孔、２１…回動用吊り上げ部材、２１ａ…基端、２１ｂ…先端、２１ｃ…取付孔、２２…溝状開口部、２２ａ…支軸、２２ｂ…回り止め、３１…チュービング装置、３２…ケーシングチューブ挿通孔、３３…上部作業デッキ
【図１】
0006653966.tif 000002
【図２】
0006653966.tif 000003
【図３】
0006653966.tif 000004
【図４】
0006653966.tif 000005
【図５】
0006653966.tif 000006